(57)【要約】【課題】利用者の向きによって生じる無駄な電力消費を抑えることが可能となる映像装置を提供する。【解決手段】携帯可能な被検出対象物の向きを検出する向き検出部と、前記向き検出部により検出された前記被検出対象物の向きに応じて表示を制御する表示制御部と、を備える映像装置としている。【選択図】図３
2015191083.tif 000002
【特許請求の範囲】
【請求項１】
携帯可能な被検出対象物の向きを検出する向き検出部と、前記向き検出部により検出された前記被検出対象物の向きに応じて表示を制御する表示制御部と、を備える映像装置。
【請求項２】
前記被検出対象物の初期の向きを検出する初期向き検出部と、
前記向き検出部による検出結果と前記初期向き検出部による検出結果とに基づき前記被検出対象物の向き変化量を算出する向き変化量算出部と、を更に備え、
前記表示制御部は、前記向き変化量算出部による算出結果に応じて表示を制御することを特徴とする請求項１に記載の映像装置。
【請求項３】
前記被検出対象物と自機との間に障害物が存在するか否かを判定する障害物判定部を更に備え、
前記表示制御部は、前記障害物判定部により障害物が存在すると判定されると、前記被検出対象物の向きに関わらず、表示を抑制することを特徴とする請求項１又は請求項２に記載の映像装置。
【請求項４】
前記障害物判定部は、前記被検出対象物の位置情報と、障害物の配置に関する情報に基づき、障害物が存在するか否かを判定することを特徴とする請求項３に記載の映像装置。
【請求項５】
前記被検出対象物の位置情報に基づき前記被検出対象物と自機との間の距離を算出する距離算出部と、前記被検出対象物との無線通信の受信強度を測定する受信強度測定部と、を更に備え、
前記障害物判定部は、障害物が存在しないと仮定した場合での前記算出された距離に対応した前記無線通信の受信強度からの前記測定された受信強度の変化度合いに基づき、障害物が存在するか否かを判定することを特徴とする請求項３に記載の映像装置。
【請求項６】
前記被検出対象物と自機との間の距離を検出する距離検出部と、前記距離検出部により検出された距離に応じて音量を制御する音量制御部と、を更に備えることを特徴とする請求項１〜請求項５のいずれか１項に記載の映像装置。
【請求項７】
前記距離検出部により検出された距離に基づき、音声出力を自機から前記被検出対象物へ切替える切替え部を更に備えることを特徴とする請求項６に記載の映像装置。
【発明の詳細な説明】
【技術分野】
【０００１】
本発明は、映像装置に関する。
【背景技術】
【０００２】
従来、テレビ装置を始めとする様々な映像装置が開発されている。
【０００３】
例えば、台所で料理を行うなど何らかの作業をしながらテレビ装置を鑑賞する場合、テレビ装置に対して背を向けて作業する状況になることがある。この場合、テレビ装置の音声のみを聴きながら作業することになるが、このときにはテレビ装置において映像が表示されていることは消費電力の無駄となる。即ち、テレビ装置に対する視聴者の向きによっては消費電力の無駄が存在した。
【先行技術文献】
【特許文献】
【０００４】
【特許文献１】特開２００４−９６２２４号公報
【発明の概要】
【発明が解決しようとする課題】
【０００５】
ここで、例えば特許文献１には、ヘッドマウントディスプレイとして、電源オンの状態で、ジャイロセンサー及び傾斜センサーの出力から、動きが所定時間連続していないことを検出したとき、ディスプレイが未装着であると判断し、メイン電源スイッチをオフ状態として、自動的に電源をシャットダウンするものが開示されている。
【０００６】
しかしながら、ヘッドマウントディスプレイは、頭部に装着して利用者が映像を見るものであり、利用者の向きによって映像が見えずに映像表示が無駄となるという問題は生じない。従って、特許文献１の発明は、先述のような、映像装置に対する利用者の向きによって消費電力の無駄が存在するという問題を解決するものではない。
【０００７】
上記状況に鑑み、本発明は、利用者の向きによって生じる無駄な電力消費を抑えることが可能となる映像装置を提供することを目的とする。
【課題を解決するための手段】
【０００８】
上記目的を達成するために本発明の映像装置は、携帯可能な被検出対象物の向きを検出する向き検出部と、前記向き検出部により検出された前記被検出対象物の向きに応じて表示を制御する表示制御部と、を備える構成としている。
【０００９】
このような構成によれば、被検出対象物を携帯した利用者の向きに応じて表示制御を行うことができ、利用者の向きによっては無駄となる映像表示を制御することで、無駄な電力消費を抑えることができる。
【００１０】
また、上記構成において、前記被検出対象物の初期の向きを検出する初期向き検出部と、前記向き検出部による検出結果と前記初期向き検出部による検出結果とに基づき前記被検出対象物の向き変化量を算出する向き変化量算出部と、を更に備え、
前記表示制御部は、前記向き変化量算出部による算出結果に応じて表示を制御することとしてもよい。
【００１１】
このような構成によれば、利用者がどのような向きに被検出対象物を携帯したとしても、被検出対象物の向き変化量により利用者の向き変化量を検出でき、利用者の向きに応じて適切な表示制御を行うことができる。
【００１２】
また、上記いずれかの構成において、前記被検出対象物と自機との間に障害物が存在するか否かを判定する障害物判定部を更に備え、
前記表示制御部は、前記障害物判定部により障害物が存在すると判定されると、前記被検出対象物の向きに関わらず、表示を抑制することとしてもよい。
【００１３】
このような構成によれば、障害物が存在する場合に、障害物が仮に存在しないときに表示を視認できる向きを利用者が向いていたとしても、表示が抑制されるので、無駄な電力消費を抑えることができる。
【００１４】
また、上記構成において、前記障害物判定部は、前記被検出対象物の位置情報と、障害物の配置に関する情報に基づき、障害物が存在するか否かを判定することとしてもよい。
【００１５】
また、上記構成において、前記被検出対象物の位置情報に基づき前記被検出対象物と自機との間の距離を算出する距離算出部と、前記被検出対象物との無線通信の受信強度を測定する受信強度測定部と、を更に備え、
前記障害物判定部は、障害物が存在しないと仮定した場合での前記算出された距離に対応した前記無線通信の受信強度からの前記測定された受信強度の変化度合いに基づき、障害物が存在するか否かを判定することとしてもよい。
【００１６】
また、上記いずれかの構成において、前記被検出対象物と自機との間の距離を検出する距離検出部と、前記距離検出部により検出された距離に応じて音量を制御する音量制御部と、を更に備えることとしてもよい。
【００１７】
このような構成によれば、利用者の映像装置からの距離に応じて、適度な音量で音声を聞くことが可能となる。
【００１８】
また、上記構成において、前記距離検出部により検出された距離に基づき、音声出力を自機から前記被検出対象物へ切替える切替え部を更に備えることとしてもよい。
【００１９】
このような構成によれば、利用者が映像装置から遠く離れたことによって音量が大きくなり過ぎることを防止し、被検出対象からの音声出力によって利用者は充分な音量で音声を聞くことができる。
【発明の効果】
【００２０】
本発明の映像装置によると、利用者の向きによって生じる無駄な電力消費を抑えることが可能となる。
【図面の簡単な説明】
【００２１】
【図１】本発明の第１実施形態に係るスマートフォンとテレビ装置から成るシステムの概略外観を示す図である。
【図２】本発明の第１実施形態に係るスマートフォンのブロック図である。
【図３】本発明の第１実施形態に係るテレビ装置のブロック図である。
【図４】利用者がテレビ装置に対して正面を向いた状態を示す図である。
【図５】利用者が向きを変化させた様子の一例を示す図である。
【図６】本発明の第１実施形態に係る表示制御に関するフローチャートである。
【図７】本発明の第１実施形態に係る音量制御に関するフローチャートである。
【図８】利用者が初期位置からテレビ装置へ近づいた様子の一例を示す図である。
【図９】本発明の第３、第４実施形態に係る表示制御に関するフローチャートである。
【図１０】利用者とテレビ装置の間に障害物が存在する様子の一例を示す図である。
【発明を実施するための形態】
【００２２】
＜第１実施形態＞
以下に本発明の一実施形態について図面を参照して説明する。ここでは、Wi-Fiネットワーク経由で映像を伝送できる規格であるMiracast（登録商標）に対応したスマートフォン（携帯端末）とテレビ装置から成るシステムを一例として説明する。
【００２３】
本発明の第１実施形態に係るスマートフォンとテレビ装置から成るシステムの概略外観を図１に示す。図１に示す利用者が携帯可能なスマートフォン１０は、外観で平板状の筐体を有し、当該筐体の前面側にタッチパネル１０３及び液晶パネル１０４が一体となった表示入力部を備える。
【００２４】
スマートフォン１０は、Miracastによりテレビ装置２０と一対一で無線接続され、映像をテレビ装置２０に伝送できる。これにより、スマートフォン１０に表示された映像と同じ内容の映像をテレビ装置２０の表示部２０６に表示させることができ、ミラーリング表示を実現している。
【００２５】
スマートフォン１０のブロック構成を図２に示す。図２に示すように、スマートフォン１０は、アンテナ１０１、第１無線通信部１０２、タッチパネル１０３、液晶パネル１０４、バックライト１０５、カメラ部１０６、操作部１０７、ＧＰＳ受信部１０８、ジャイロセンサー１０９、記憶部１１０、スピーカ１１１、マイク１１２、第２無線通信部１１３、電源部１１４、及び制御部１１５を備えている。
【００２６】
第１無線通信部１０２は、移動通信網における基地局に対し無線通信を行う。この無線通信を用いて、音声データ、映像データ、電子メールデータ等の送受信や、Ｗｅｂデータやストリーミングデータ等の受信を行う。
【００２７】
液晶パネル１０４は制御部１１５によって駆動され、表示させる映像に応じて各画素に対応する液晶が駆動されることで光の透過率が調整される。バックライト１０５は、液晶パネル１０４を背後から照明するものであり、例えばＬＥＤと導光板を用いたエッジ型などが採用される。
【００２８】
タッチパネル１０３は、液晶パネル１０４の表示画面上に表示される映像を視認可能に構成されて液晶パネル１０４上に載置され、ユーザの指などの操作物のタッチを検出する。タッチパネル１０３から出力された検出信号に基づき、制御部１１５はタッチパネル１０３上の操作位置を検出する。
【００２９】
カメラ部１０６は、ＣＭＯＳイメージセンサーなどの撮像素子を用いて電子撮像するものであり、撮像された画像を例えばＪＰＥＧ形式で圧縮し、圧縮データを記憶部１１０に記憶させることができる。
【００３０】
操作部１０７は、ユーザからの入力を受け付けるハードウェアキーであり、例えば図１に示すように表示入力部（１０３、１０４）の下側に設けられる。
【００３１】
ＧＰＳ受信部１０８は、ＧＰＳ衛星から電波を受信し、位置情報を取得して制御部１１５に出力するものである。ジャイロセンサー（ジャイロコンパス）１０９は、スマートフォン１０の向き（方位）を検出し、向き情報を制御部１１５に出力する。
【００３２】
記憶部１１０は、制御部１１５のための制御プログラムや制御データ、通信相手の名称や電話番号などを対応づけたアドレスデータ、送受信した電子メールデータ、ＷｅｂブラウジングによりダウンロードしたＷｅｂデータや、ダウンロードしたコンテンツデータを記憶し、またストリーミングデータなどを一時的に記憶するものである。なお、記憶部１１０は、例えばフラッシュメモリ、ＲＡＭ、ＲＯＭなどにより構成される。
【００３３】
マイク１１２は、ユーザが発した音声を取り込み、取り込まれた音声は制御部１１５により所定の処理を行われ、第１無線通信部１０２により基地局へ送信される。また、第１無線通信部１０２により受信された音声は、制御部１１５により所定の処理を行われてスピーカ１１１から出力される。これにより、ユーザは通話を行うことができる。なお、スピーカ１１１は、通話の音声に限らず、例えば第１無線通信部１０２により受信されたストリーミングデータに基づく音声など各種音声を出力できる。
【００３４】
第２無線通信部１１３は、Miracastに準じた無線通信を行うものであり、詳細は後述する。
【００３５】
電源部１１４は、スマートフォン１０の各部に不図示であるバッテリに蓄電された電力を供給する回路である。
【００３６】
制御部１１５は、マイクロプロセッサを備え、記憶部１１０に記憶された制御プログラムや制御データに従って動作し、スマートフォン１０の各部を統括制御するものである。
【００３７】
次に、テレビ装置２０（映像装置の一例）のブロック構成を図３に示す。図３に示すように、テレビ装置２０は、チューナ２０２、復調部２０３、分離部２０４、デコーダ２０５、表示部２０６、制御部２０７、アンプ部２０８、スピーカ２０９、記憶部２１０、リモコン受光部２１１、及び無線通信部２１２を備えている。チューナ２０２には、アンテナ２０１が接続される。
【００３８】
チューナ２０２は、例えば、地上デジタル放送、ＢＳデジタル放送、ＣＳデジタル放送の少なくともいずれかに対応するものであり、アンテナ２０１から入力された高周波の放送信号から所望のチャンネルの放送信号を選局する。
【００３９】
復調部２０３は、チューナ２０２において選局されたチャンネルの放送信号に対してデジタル復調及び誤り訂正などの処理を行い、トランスポートストリームを生成し、分離部２０４へ出力する。
【００４０】
分離部（デマルチプレクサ）２０４は、復調部２０３から入力されるトランスポートストリームを映像ストリーム、音声ストリーム、ＳＩ（Service Information）、字幕データ等に分離する。分離部２０４の映像音声出力は、デコーダ２０５に入力される。
【００４１】
デコーダ２０５は、分離部２０４から入力される映像ストリームに対してデコードを行い、生成された映像データを表示部２０６に出力する。表示部２０６は、液晶パネル２０６Ａ、パネル駆動部２０６Ｂ、及びバックライト２０６Ｃを備えている。パネル駆動部２０６Ｂは、例えばデコーダ２０５から入力される映像データに基づき液晶パネル２０６Ａに駆動信号を送る。バックライト２０６Ｃは、液晶パネル２０６Ａの背後から光を照射するものであり、例えば液晶パネル２０６Ａの背面に光源をマトリクス状に配した直下型を採用できる。これにより、液晶パネル２０６Ａに放送映像が表示される。
【００４２】
また、デコーダ２０５は、分離部２０４から入力される音声ストリームに対してデコードを行う。アンプ部２０８は、デコーダ２０５から出力されるデコード後の音声データに基づき電力増幅を行い、増幅後の音声信号をスピーカ２０９に出力する。これにより、スピーカ２０９から放送音声が発生される。
【００４３】
制御部２０７は、テレビ装置２０を統括的に制御する制御装置である。記憶部２１０は、制御部２０７の制御プログラムや制御データ、各種設定データなどを保存するメモリであり、例えばＲＯＭ、ＲＡＭ、及びフラッシュメモリから成る。
【００４４】
リモコン受光部２１１は、不図示のリモコン装置から操作に応じた赤外線信号等の操作信号を受信し、受信した操作信号をリモコンコードに変換し、リモコンコードを制御部２０７へ送信する。制御部２０７は、送信されたリモコンコードに応じた制御動作を行う。これにより、ユーザはリモコン装置によってテレビ装置２０を操作することができる。
【００４５】
ここで、先述の通り、本システムはMiracastによる映像伝送に対応しており、これについて説明する。まず、ユーザによりスマートフォン１０のタッチパネル１０３で所定の操作がされると、制御部１１５は第２無線通信部１１３を介して接続可能なデバイスを検索する。ここで、テレビ装置２０では、制御部２０７がスマートフォン１０からの問い合わせに対して無線通信部２１２及び第２無線通信部１１３を介して制御部１１５に応答する。そして、検索されたデバイスが制御部１１５によって液晶パネル１０４に表示される。この表示にテレビ装置２０が含まれるので、ユーザがタッチパネル１０３によってテレビ装置２０を選択すると、制御部１１５は第２無線通信部１１３及び無線通信部２１２を介して制御部２０７との接続を確立する。
【００４６】
接続が確立すると、制御部１１５は、液晶パネル１０４に表示させる映像の映像データに対してエンコードを行い、エンコード後の映像データを第２無線通信部１１３を介してテレビ装置２０へ送信する。テレビ装置２０では、制御部２０７が無線通信部２１２を介して送信された映像データを受信し、制御部２０７は受信された映像データをデコードし、デコード後の映像データに基づいて表示部２０６に映像を表示させる。
【００４７】
これにより、スマートフォン１０の液晶パネル１０４と、テレビ装置２０の表示部２０６に同じ内容の映像が表示され、ミラーリング表示が実現される。例えば、スマートフォン１０に表示されたストリーミングやダウンロードデータ等による動画などがそのままテレビ装置２０にも表示されることになる。よって、ユーザは液晶パネル１０４よりも大画面である表示部２０６でミラーリング表示された映像を見ることができる。
【００４８】
このとき、ストリーミングやダウンロードデータ等に基づく音声データを制御部１１５によりエンコードし、第２通信部１１３を介してテレビ装置２０に送ることもできる。テレビ装置２０では、無線通信部２１２により受信された音声データは、制御部２０７によりデコードされ、デコード後の音声データに基づきアンプ部２０８にて電力増幅が行われ、スピーカ２０９から音声が出力される。このように、ストリーミングやダウンロードデータ等による映像音声をスマートフォン１０からテレビ装置２０へ転送し、テレビ装置２０によって視聴することが可能となる。
【００４９】
次に、本実施形態に係るスマートフォン１０及びテレビ装置２０による表示制御について図６に示すフローチャートを用いて説明する。図６に示す処理は、テレビ装置２０側の処理を示す。
【００５０】
ここで、上記のようにmiracastによってスマートフォン１０からテレビ装置２０へ映像音声が転送され、テレビ装置２０により視聴可能な状態であるとする。この状態で、利用者は例えばスマートフォン１０を着衣のポケットに入れたり、ベルトに固定するなど利用者とスマートフォン１０が一体的に移動可能なように携帯し、図４に示すようにテレビ装置２０に対して正面を向いた状態で、操作部１０７やタッチパネル１０３において所定の操作を行う。すると、制御部１１５は、ジャイロセンサー１０９によって取得される向き情報を第２無線通信部１１３を介してテレビ装置２０へ送信する。以降、スマートフォン１０は、定期的に向き情報をテレビ装置２０へ送信する。
【００５１】
なお、スマートフォン１０をポケットに入れるなどの状態の場合は操作がしにくいため、上記所定の操作を行ってから即時ではなく、或る程度の時間経過後に遅れて向き情報を送信開始するようにしてもよい。これにより、利用者は上記所定の操作を行ってから、スマートフォン１０をポケットに入れるなどすることが可能となる。
【００５２】
すると、ステップＳ１で、テレビ装置２０の制御部２０７は、無線通信部２１２を介して受信した向き情報を、スマートフォン１０の初期の向きを表す初期向き情報として記憶部２１０に記憶させる。
【００５３】
そして、ステップＳ２で、制御部２０７は、スマートフォン１０から新たに無線通信部２１２を介して受信された向き情報と、記憶部２１０に記憶された初期向き情報に基づき、初期の向きからの向きの変化した角度を算出する。
【００５４】
そして、ステップＳ３で、算出された向きの変化した角度が所定角度以上であるか否かを判定する。もし所定角度以上である場合は（ステップＳ３のＹ）、利用者はテレビ装置２０に表示された映像を見がたい向きを向いている（即ち利用者は表示を見る意思がない）として、ステップＳ４に進み、制御部２０７は、映像表示を停止させる。例えば、パネル駆動部２０６Ｂによる液晶パネル２０６Ａの駆動を停止させたり、バックライト２０６Ｃを消灯させたり、その両方を行ったりする。
【００５５】
例えば、図５の上段には、利用者がテレビ装置２０に対して正面を向いた初期状態から、体を回転させて異なる向きを向いた状態へ変化した場合の一例を示す。このとき、スマートフォン１０は利用者と一体的に移動し、図５の下段に示すように、実線から破線へ向きが変化することになる。従って、ステップＳ２で算出される向きの変化した角度は、図５の下段に示す角度θとなり、上記所定角度であるθｔｈ（ここでは例として９０°としている）以上となる（ステップＳ３のＹ）。従って、ステップＳ４へ進み、映像表示は停止される。
【００５６】
このように、利用者がテレビ装置２０の表示を見る意思がないと推定される向きに向いていることを検出すると、映像表示を停止させるので、無駄な電力消費を抑えることが可能となる。なお、映像表示を停止させる他に、例えばバックライト２０６Ｃの輝度を落とすなどして省電力を図ってもよい。
【００５７】
一方、ステップＳ３で、算出された向きの変化した角度が所定角度を超えていない場合は（ステップＳ３のＮ）、ステップＳ５に進み、映像表示は維持される（但し、ステップＳ４で映像表示が停止された後は映像表示を再開する）。ステップＳ４又はステップＳ５の後は、ステップＳ２に戻り、以降処理が繰り返される。即ち、ステップＳ２では、定期的にスマートフォン１０から送信される向き情報を順次利用することとなる。
【００５８】
なお、利用者がテレビ装置２０に対して正面を向いた状態で必ずスマートフォン１０を所定の向きで携帯することが前提であるという場合は、図６のステップＳ１での初期向き情報を取得する必要はなく、ステップＳ２では上記所定の向きからの変化角度を算出すればよい。
【００５９】
次に、本実施形態に係るスマートフォン１０及びテレビ装置２０による音量制御について図７に示すフローチャートを用いて説明する（図７はテレビ装置２０側の処理）。本制御は、先述した表示制御と並行して実施されるものである（但し、音量制御のみを実施することも可能である）。
【００６０】
先述したように、利用者がテレビ装置２０に対して正面方向を向いた状態（図４）でスマートフォン１０において所定の操作がされると、向き情報が送信されると共に、制御部１１５は、ＧＰＳ受信部１０８によって取得される位置情報を第２無線通信部１１３を介してテレビ装置２へ送信する。以降、定期的にスマートフォン１０は、位置情報をテレビ装置２０へ送信する。
【００６１】
テレビ装置２０側では、図７の処理が開始されると、まずステップＳ１１で、制御部２０７は、無線通信部２１２を介して受信した位置情報を、スマートフォン１０の初期位置を表す初期位置情報として記憶部２１０に記憶させる。
【００６２】
次に、ステップＳ１２で、制御部２０７は、記憶部２１０に記憶させた初期位置情報と、テレビ装置２０の設置位置を示す設置位置情報に基づき、スマートフォン１０とテレビ装置２０の間の距離Ｌ１を算出する。なお、上記設置位置情報については、例えばテレビ装置２０にＧＰＳ受信部を備えることにより取得したり、利用者が予めテレビ装置２０に手動で設定したりすればよい。
【００６３】
そして、ステップＳ１３に進み、制御部２０７は、無線通信部２１２を介して新たに受信された位置情報と、上記設置位置情報に基づき、スマートフォン１０とテレビ装置２０の間の距離Ｌ２を算出する。
【００６４】
次に、ステップＳ１４で、制御部２０７は、算出された距離Ｌ２の距離Ｌ１からの変化量に応じて音量を制御する。音量の制御は、アンプ部２０８を制御することで行う。
【００６５】
具体的には例えば、距離Ｌ２の距離Ｌ１からの変化量と所定の閾値を比較し、距離が短くなる側への変化量が閾値を超えたら、音量を初期位置での音量設定より減少させ、距離が長くなる側への変化量が閾値を超えたら、音量を現在より増加させる。距離が短くなる側、長くなる側それぞれの変化量に対して、複数の閾値を設けてもよい（例えば、第１の閾値よりも第２の閾値を超えた場合のほうが音量の減少量・増加量を大きくする等）。なお、距離の変化量に応じて連続的に音量を変化させるようにしてもよい。
【００６６】
図８に示す例では、利用者がテレビ装置２０に対して正面を向いた状態（実線）からテレビ装置２０側へ近づいた状態（破線）を示す。この場合、スマートフォン１０が利用者と一体的に移動され、算出された距離Ｌ１（初期位置での距離）よりも距離Ｌ２のほうが短くなるので、例えば変化量がもし閾値を超えたら、テレビ装置２０から出力される音声の音量は減少される。
【００６７】
なお、ステップＳ１４の後は、ステップＳ１３に戻り、以降処理が繰り返される。即ち、ステップＳ１３では、定期的にスマートフォン１０から送信される位置情報を順次利用することとなる。
【００６８】
このように、利用者のテレビ装置２０からの距離に応じて音量が調整されるので、適度な音量で視聴することが可能となる。
【００６９】
なお、無線通信部２１２での受信強度を測定し、測定結果に基づき上記距離Ｌ１及びＬ２の算出を行ってもよい。この場合、スマートフォン１０から位置情報を送信する必要はなくなる。
【００７０】
また、上記のように初期の距離Ｌ１と現在の距離Ｌ２を算出するのではなく、例えばスマートフォン１０から定期的に送られる位置情報に基づき、逐次スマートフォン１０とテレビ装置２０の間の距離を算出し、算出された距離に応じた音量に制御するようにしてもよい。
【００７１】
＜第２実施形態＞
上記第１実施形態の音量制御では、距離Ｌ２の距離Ｌ１からの変化量が距離が長くなる方向に大きい場合、それに応じてテレビ装置２０の音量が大きくなるが、あまり音量が大きいと周囲への迷惑になることも考えられる。
【００７２】
そこで、例えば距離が長くなる方向への変化量が所定の閾値を超えた場合は、制御部２０７は、スピーカ２０からの音声出力を停止させ、無線通信部２１２を介してスマートフォン１０へ音声出力の要求を行う。スマートフォン１０では、制御部１１５は、第２無線通信部１１３を介して上記要求を受信し、miracastにより転送すべき音声をスピーカ１１１から出力するよう制御する。
【００７３】
これにより、テレビ装置２０からスマートフォン１０での音声出力に切替えるので、テレビ装置２０で音量が大きくなり過ぎることを防ぎ、利用者は携帯しているスマートフォン１０によって音声を充分な音量で聞くことができる。
【００７４】
＜第３実施形態＞
上記第１実施形態での表示制御では、利用者とテレビ装置２０の間にもし障害物があり、利用者がテレビ装置２０側に向いていても障害物によりテレビ装置２０の表示が見えない場合でも、テレビ装置２０の表示は停止されない。
【００７５】
そこで、図９に示すような本実施形態に係る表示制御（テレビ装置２０側の処理）を行うようにしてもよい。利用者がテレビ装置２０に対して正面方向を向いた状態（図４）でスマートフォン１０において所定の操作がされると、向き情報と共に位置情報の定期的な送信が開始される。
【００７６】
図９のフローチャートが開始されると、ステップＳ２１で、テレビ装置２０の制御部２０７は、無線通信部２１２を介して受信された向き情報をスマートフォン１０の初期向き情報として記憶部２１０に記憶させる。
【００７７】
そして、ステップＳ２２で、制御部２０７は、スマートフォン１０とテレビ装置２０の間に障害物があるか否かを判定する。ここで、テレビ装置２０が設置された部屋における障害物の配置に関する見取り図データが記憶部２１０に予め記憶されている。制御部２０７は、無線通信部２１２を介して受信された位置情報と上記見取り図データに基づき、障害物の有無を判定する。例えば図１０に示すように、位置情報の示す位置とテレビ装置２０の設置位置を結ぶ直線上に障害物Ｓの領域があれば、障害物が存在すると判定する。
【００７８】
スマートフォン１０とテレビ装置２０の間に障害物があると判定されると（ステップＳ２２のＹ）、ステップＳ２５に進み、制御部２０７は、映像表示を停止させる。
【００７９】
また、障害物が無い場合は（ステップＳ２２のＮ）、ステップＳ２３へ進み、ステップＳ２１で記憶させた初期向き情報と、無線通信部２１２を介して受信された向き情報に基づき、向きの変化角度を算出する。そして、算出された向きの変化角度が所定角度以上であれば（ステップＳ２４のＹ）、ステップＳ２５で映像表示が停止され、そうでなければ（ステップＳ２４のＮ）、ステップＳ２６へ進み、映像表示は維持される。そして、ステップＳ２２に戻る。
【００８０】
このように、スマートフォン１０とテレビ装置２０の間に障害物が存在した場合は、スマートフォン１０の初期の向きからの向きの変化量に関わらず、映像表示を停止させる。従って、障害物によって利用者からは見えない不必要な映像表示をしないようにし、無駄な電力消費を抑えることが可能となる。
【００８１】
＜第４実施形態＞
上記第３実施形態における障害物の有無の判定については、次のようにしてもよい。本実施形態では、無線通信部２１２を介してスマートフォン１０から受信された位置情報とテレビ装置２０の設置位置とから、スマートフォン１０とテレビ装置２０の間の距離を算出する。そして、無線通信部２１２での受信強度を測定し、障害物が存在しないと仮定した場合での上記算出された距離に対応した受信強度から上記測定された受信強度が大きく下がっていた場合に、障害物が存在すると判定する。例えば、テレビ装置２０がスマートフォン１０から無線通信の出力パワーに関する情報を取得し、取得された情報に基づき障害物が存在しないと仮定した場合の距離と受信強度の関係（関係式等）を求め、これを用いるようにすればよい。
【００８２】
このような実施形態であれば、上記第３実施形態のような見取り図データが不要となるという効果が生じる。
【００８３】
＜第５実施形態＞
上記各実施形態では、miracastによってスマートフォン１０からテレビ装置２０へ映像音声を転送している状態での実施形態であったが、これに限らず、テレビ装置２０においてチューナ２０２が受信した放送の映像音声や、テレビ装置２０が備える不図示の外部入力から入力される映像音声をテレビ装置２０によって視聴する場合にも適用可能である。
【００８４】
なお、上記第２実施形態に適用する場合、距離の変化量が所定の閾値を超えて、テレビ装置２０からスマートフォン１０へ音声出力を切替える際、例えば制御部２０７は、スピーカ２０９からの音声出力は停止させ、デコーダ２０５からの音声データを無線通信部２１２を介してスマートフォン１０側へ送信させる。これにより、スマートフォン１０では、第２無線通信部１１３を介して受信された音声データに基づいてスピーカ１１１から音声が発生される。従って、放送音声の出力がテレビ装置２０からスマートフォン１０側へ切替えられ、利用者は充分な音量で放送音声を聞くことができる。
【００８５】
以上、本発明の実施形態について説明したが、本発明の趣旨の範囲内であれば、実施形態は種々の変形が可能である。
【符号の説明】
【００８６】
１０  スマートフォン
２０  テレビ装置
１０１  アンテナ
１０２  第１無線通信部
１０３  タッチパネル
１０４  液晶パネル
１０５  バックライト
１０６  カメラ部
１０７  操作部
１０８  ＧＰＳ受信部
１０９  ジャイロセンサー
１１０  記憶部
１１１  スピーカ
１１２  マイク
１１３  第２無線通信部
１１４  電源部
２０１  アンテナ
２０２  チューナ
２０３  復調部
２０４  分離部
２０５  デコーダ
２０６  表示部
２０６Ａ  液晶パネル
２０６Ｂ  パネル駆動部
２０６Ｃ  バックライト
２０７  制御部
２０８  アンプ部
２０９  スピーカ
２１０  記憶部
２１１  リモコン受光部
２１２  無線通信部
【図１】
2015191083.tif 000003
【図２】
2015191083.tif 000004
【図３】
2015191083.tif 000005
【図４】
2015191083.tif 000006
【図５】
2015191083.tif 000007
【図６】
2015191083.tif 000008
【図７】
2015191083.tif 000009
【図８】
2015191083.tif 000010
【図９】
2015191083.tif 000011
【図１０】
2015191083.tif 000012